(57)【要約】      （修正有）【課題】ボール内に内蔵された永久磁石等の帯磁部品が、ボールの外面に付着した水分や水蒸気の浸入により酸化しないようにした帯磁部品入りボール構造を提供する。【解決手段】該帯磁部品入りボールは、中空８のボール部１と、該ボール部に穿設されて直径方向に対峙する一対の穴部と、前記ボール部内に内蔵された帯磁部品５と、前記穴部間に掛け渡されると共に、前記帯磁部品をボール部内で支持する支持軸部７とにより構成する。また、前記一対の穴部と支持軸部の両端との間に形成される隙間４を溶着し、又は接着剤で接合して前記隙間を塞ぐことによって、ボール部内を密封してボール部内の帯磁部品の酸化を防止する。【選択図】図３
0003172367.tif 000002
【実用新案登録請求の範囲】
【請求項１】
中空のボール部と、該ボール部に穿設されて直径方向に対峙する一対の穴部と、
前記ボール部内に内蔵された帯磁部品と、前記穴部間に掛け渡されると共に、前記帯磁部品をボール部内で支持する支持軸部とからなっており、
前記一対の穴部と支持軸部の両端との間に形成される隙間を溶着又は接着による接合部で前記隙間を塞ぐと共に穴部と支持軸部とを固定し、ボール部内を密封してボール部内の帯磁部品の酸化を防止しうることを特徴とする帯磁部品入りボール構造。
【請求項２】
支持軸部がパイプからなっており、穴部が前記パイプをほぼ隙間無く挿入可能な円形状の開口からなっていることを特徴とする請求項１に記載の帯磁部品入りボール構造。
【考案の詳細な説明】
【技術分野】
【０００１】
この考案は、ボール内に内蔵された永久磁石等の帯磁部品が、ボールの外面に付着した水分や水蒸気の浸入により酸化しないようにした帯磁部品入りボール構造に関する。
【背景技術】
【０００２】
従来、連珠のボールに磁石を封入し内蔵する構造は知られている。
この場合、磁石の酸化を防ぐために、磁石にメッキをかけたり、樹脂を被覆して表面をコーティングしてから、ボール部内に入るように加工している。
そのため、加工の途中で、ボール部の内壁面に磁石が衝合して表面のコーティングを破損してしまい、その後、ボール部に汗や水分が接触すると内部に浸入して酸化させ、錆を生じさせるおそれがあった。
一方、例えば特開２００４−８１３４２号では、ボール部を貫通した穴を有し、かつボール部内部に磁石を内包した穴明きボールであって、ボール部を貫通した穴に軸管が固定されており、軸管に磁石が固定されていてそれによりボール部に対する磁石の位置関係が固定された状態にあり、かつ貫通した穴が確保されている構造が開示されている。
【０００３】
また、その製造方法としては、ボール部を貫通した穴を有し、かつボール部内部に磁石を内包した穴明きボールの製造方法であって、ガイド軸を使用して磁石と軸管を所要の態様で配置することにより磁石アセンブリを形成し、その磁石アセンブリをボール部成形用パイプ内に差し込み、磁石アセンブリを差し込んだボール部成形用パイプをボール部成形用金型にセットして塑性加工を施し、この塑性加工によってボール部を型成形するとともに、ボール部により軸管を固定し、かつ１個ずつ切り離すように構成された方法が開示されている。
しかしながら、上記構造においても、磁石を軸管の所定位置に固定することはできるが、防水性については配慮されておらず、ボールの外表面に付着した汗や水分がボールの内部へ浸入して磁石を酸化させることを十分に防ぐことはできなかった。
【先行技術文献】
【特許文献】
【０００４】
【特許文献１】特開２００４−８１３４２号公報
【考案の概要】
【考案が解決しようとする課題】
【０００５】
この考案が解決しようとする問題点は、ボール部内に磁気を帯びた帯磁部品を挿入し、該帯磁部品が外気に触れないように、ボール部内に密封した帯磁部品入りボール構造を提供するにある。
【課題を解決するための手段】
【０００６】
この考案は、ボール部内に一対の穴部を形成し、該穴部内にパイプを挿入してボール部内に貫挿し同時に磁石も貫挿し、前記一対の穴部とパイプとを溶接または接着により隙間無く接合してボール部内を気密状に密封してなることを特徴とする。
即ち、請求項１の考案では、
中空のボール部と、該ボール部に穿設されて直径方向に対峙する一対の穴部と、
前記ボール部内に内蔵された帯磁部品と、前記穴部間に掛け渡されると共に、前記帯磁部品をボール部内で支持する支持軸部とからなっており、
前記一対の穴部と支持軸部の両端との間に形成される隙間を溶着又は接着による接合部で前記隙間を塞ぐと共に穴部と支持軸部とを固定し、ボール部内を密封してボール部内の帯磁部品の酸化を防止しうることを特徴とする。
【考案の効果】
【０００７】
この考案の帯磁部品入りボール構造は、ボール部内で貫通する一対の穴部にパイプを通してパイプの両端と穴部とを隙間無く溶着または接着して塞ぐことでボール部の内部空間にボール部に付着した汗や水分等の浸入を防止して、内蔵された帯磁物品の酸化を防ぐことができる。
【図面の簡単な説明】
【０００８】
【図１】実施例１の帯磁部品入りボールの基本構造を示す断面図である。
【図２】穴部と支持軸部の隙間と接合部とを示す帯磁部品入りボールの側面図である。
【図３】穴部と支持軸部の隙間とをボール部の外表面側から接合部で密閉した状態の帯磁部品入りボールの断面図である。
【図４】穴部と支持軸部の隙間とをそれらの接触面で接合部により密閉した状態の帯磁部品入りボールの断面図である。
【考案を実施するための形態】
【０００９】
以下に、この考案の帯磁部品入りボール構造の好適実施例について図面を参照しながら説明する。
【実施例１】
【００１０】
［帯磁部品入りボール］
図１は、帯磁部品入りボールの基本構造を示す断面図である。
この帯磁部品入りボール１０は、ボール部１と、該ボール部１に穿設された一対の穴部２、３と、前記ボール部１内に内蔵された帯磁部品５と、前記穴部２，３間に掛け渡されると共に、帯磁部品５を支持する支持軸部７とからなっている。
【００１１】
［ボール部］
符号１は、内部が中空の球形状のボール部であり、素材は本実施例では、金属からなっているが、貴金属や樹脂、天然又は合成の宝玉などであってもよい。
また、ボール部１は、一体に形成されたもの、あるいは分割されたボール部構成片を繋ぎ合わせたものでもよい。
【００１２】
［穴部］
該ボール部１には、直径方向に対向して一対の穴部２、３が開口形成されている。
該穴部２、３は支持軸部７をボール部１内に貫挿するための大きさに設定されており、本実施例では支持軸部７が断面円形のパイプからなっているので、穴部２、３は前記支持軸部７の外径と同じ長さの直径に設定された円孔からなっている。
【００１３】
［帯磁部品］
前記ボール部１内には帯磁部品５が内蔵される。
該帯磁部品５は、ボール部１内に収納される所定の磁束密度を有する永久磁石や帯磁性、磁力を有する任意形状のブロック状の部品であって、その略中央には、前記穴部２、３の大きさと同じまたはそれ以上の大きさの開口部６を有している。
【００１４】
［支持軸部］
支持軸部７は、前述のように穴部２、３の直径と同じ長さの断面の外径を有しており、ボール部１の直径と同じ長さに設定された断面円形のパイプからなっており、筒状の中空部８が貫通形成されている。
この支持軸部７は、前記一方の穴部２と他方の穴部３との間に掛け渡されると共に、ボール部１内で前記帯磁部品５の開口６に挿入されて帯磁部品５を中空に保持することができる。
【００１５】
製造方法としては、ボール部１の成型時に帯磁部品５を予め前記支持軸部７に通した状態で挿入しておくもの、または  前記支持軸部７に通した帯磁部品５を複数に分割されたボール部構成片内に挿入しておいてからボール部構成片を一体に接合する方法など、公知の製法を用いることができる。
【００１６】
本実施例では、支持軸部７に対して帯磁部品５は固定せず、支持軸部７に沿ってボール部１内を摺動することができるようになっている。
しかし、この考案では、帯磁部品５を支持軸部７に固定して、ボール部１内の所定位置（例えば中央）に配置する構成であってもよい。
【００１７】
また、製造段階中で、支持軸部７がボール部１の直径より長い場合には、ボール部１成型後に支持軸部７をボール部１の両端で切断して、ボール部１の外表面で略同一面となるように設定する。
ここで、穴部３、４と支持軸部７の両端との間には、僅かな隙間４が形成されることになる（図２参照）。
【００１８】
そこで、穴部３、４と支持軸部７の両端との間の隙間４を、その素材に応じて半田溶接等のろう付けによる接合部９、または接着剤による接合による接合部９により完全に覆って、前記隙間４を塞ぎシールする（図３参照）。
ここで、ろう付けの場合はボール部１の外表面側から隙間４を塞ぐが、ろう付け以外の接着剤の場合には、ろう付けと同様に隙間４を外表面側から塞ぐものでも、図４に示すように、穴部３、４の内壁面と支持軸部７の外壁面との間に塗布して隙間４を塞ぐものでもよく、要するにボール部１内を気密状にシールするものであればよい。
【００１９】
これにより、ボール部１の内部は完全に気密状に密封されるので、ボール部１の外部に付着した汗や水分、水蒸気などが前記隙間４から内部に浸入することがなく、帯磁部品５の酸化を抑えることができる。
また、同時に、穴部３、４に支持軸部７の両端が固着される。
【００２０】
このように成形された帯磁部品入りボール１０は、多数並べて、その支持軸部７の中空部８に紐やチェーン、ワイヤ等の線条材を通して連珠となし、ネックレス、ブレスネット、アンクレットなどとして使用に供することができる。
この考案は上記実施例に限定されるものではなく、要するにこの考案の要旨を変更しない範囲で種々設計変更しうる。
【符号の説明】
【００２１】
１    ボール部
２、３  穴部
４    隙間
５    帯磁部品
６    開口部
７    支持軸部
８    中空部
９    接合部
１０    帯磁部品入りボール
【図１】
0003172367.tif 000003
【図２】
0003172367.tif 000004
【図３】
0003172367.tif 000005
【図４】
0003172367.tif 000006